(57)【要約】【課題】一人の作業員によっても容易にパネルを鉄骨柱の周囲に取り付けることができ、しかも取付後のパネルの定置性能にも優れたパネル取付用治具および耐火被覆構造の形成方法を提供する。【解決手段】本発明のパネル取付用治具１０は、長尺プレート１１の一端に平板部１２を備えたＴ字状本体１３と、長尺プレート１１の中間に固設されたパネル厚さと略同一幅を有するパネル挟持部１４と、長尺プレート１１の他端付近に該長尺プレートの長手方向に沿って設けられた長孔１５と、この長孔１５に沿ってスライド可能かつ固定可能に設けられたＬ型押えプレート１６とから構成されている。【選択図】図１
2009215798.tif 000002
【特許請求の範囲】
【請求項１】
断面矩形パイプ状の鉄骨柱の外周を幅の異なる一対二組の軽量気泡コンクリートパネルで被覆することにより、耐火被覆構造を形成するのに使用するパネル取付用治具であって、
長尺プレートの一端に平板部を備えたＴ字状本体と、
前記長尺プレートの中間に固設されたパネル厚さと略同一幅を有するパネル挟持部と、
前記長尺プレートの他端付近に該長尺プレートの長手方向に沿って設けられた長孔と、
この長孔に沿ってスライド可能かつ固定可能に設けられたＬ型押えプレートとからなることを特徴とするパネル取付用治具。
【請求項２】
前記Ｔ字状本体における長尺プレートの少なくとも一部に磁石が貼着されていることを特徴とする請求項１に記載のパネル取付用治具。
【請求項３】
断面矩形パイプ状の鉄骨柱の外周を幅の異なる一対二組の軽量気泡コンクリートパネルで被覆することにより、耐火被覆構造を形成するに際し、請求項１または２に記載のパネル取付用治具を一対用意し、
まず一方のパネル取付用治具の平板部を前記鉄骨柱の左側周面に係合すると共に、その長尺プレートを前記鉄骨柱の前側周面の適宜高さ位置相対面に沿わせて、このパネル取付用治具のパネル挟持部にパネル上部の小口部を把持させ、
このパネル取付用治具のＬ型押えプレートを前記鉄骨柱の他の右側周面に押圧することで該治具を固定することにより、
前記鉄骨柱の前側周面にこの側周面の幅と略同一寸法の幅を有するパネルを仮止めし、
さらに同様にして他方のパネル取付用治具を前記鉄骨柱の後側周面に配置し、この後側周面にこの側周面の幅と略同一寸法の幅を有するパネルを仮止めした後、
前記鉄骨柱の残る左右両側周面に、［この側周面の幅＋（パネル厚さの２倍）］の幅を有するパネルを配置して、
これら両パネルの端部側壁面から前記仮止めしたパネルの長辺小口面へ向けてタッピングビスを螺入することにより、
前記鉄骨柱の全外周を四枚のパネルで被覆した後、 
前記パネル取付用治具を前記鉄骨柱から取り外すことを特徴とする耐火被覆構造の形成方法。
【発明の詳細な説明】
【技術分野】
【０００１】
本発明は、断面矩形パイプ状の鉄骨柱の外周を幅の異なる一対二組の軽量気泡コンクリートパネル（以下、ＡＬＣパネルまたは単にパネルと呼ぶ）で被覆することにより、耐火被覆構造を形成するのに使用するパネル取付用治具、およびこのパネル取付用治具を使用して耐火被覆構造を形成する方法に関するものであり、さらに詳しくは、一人の作業員によっても容易にパネルを鉄骨柱の周囲に取り付けることができ、しかも取付後のパネルの定置性能にも優れたパネル取付用治具および耐火被覆構造の形成方法に関するものである。
【背景技術】
【０００２】
ＡＬＣパネルは、コンクリートに比べて多孔質であるため、軽量性および断熱性が優れており、これらの特性を活かして建築材料、例えば建物の内外壁などの用途に広く使用されている。
【０００３】
そして、鉄骨構造の建築物においては、断面矩形パイプ状の鉄骨柱の外周を幅の異なる一対二組のＡＬＣパネルで被覆することにより、耐火被覆構造を形成することが行われており、その場合の鉄骨柱に対するパネルの取付けは、主として次の方法により行われていた。
【０００４】
すなわち、図５（ａ）、（ｂ）に示したように、鉄骨柱Ｆの全外周をパネル被覆するためには、鉄骨柱Ｆの対向する側周面と略同一の幅寸法を有する一対のパネルＰ１、Ｐ２と、その幅が［他の対向する側周面の幅＋（パネル厚さの２倍）］の幅を有する一対のパネルＰ３、Ｐ４を用意し、まずパネルＰ１、Ｐ２を鉄骨柱Ｆの両側周面に沿わせて配置する（図５（ａ））。
【０００５】
次に、鉄骨柱Ｆの残る両側周面にパネルＰ３、Ｐ４を沿わせると共に、パネルＰ１、Ｐ２の小口面にもパネルＰ３、Ｐ４の両端が被さるように配置して、パネルＰ３、Ｐ４の両端壁面から、パネルＰ１、Ｐ２の小口面へとかけてタッピングビスＢを螺入し、各パネル同士を締結することにより、耐火被覆構造を完成していた。
【０００６】
しかしながら、上記の取付方法においては、パネルＰ１、Ｐ２を鉄骨柱Ｆに沿わせるために、二名の作業員がそれぞれこれらパネルＰ１、Ｐ２を押圧保持しながら、さらに他の一名または二名の作業員がパネルＰ３、Ｐ４を支えつつタッピングビスＢの螺入を行なっていた。
すなわち、合計三名あるいは四名の作業員を必要とすることから、取付作業が極めて煩雑かつ面倒であるばかりか、鉄骨柱Ｆの全ての側周面（四面）にパネルＰ１〜Ｐ４を正確に接触させながら、各パネル同士を締結することが極めて難しいという問題があった。
【０００７】
上記の問題を改善した手段としては、図６に示したように、鉄骨柱Ｆの各角部にパネルＰ１、Ｐ２の小口面に沿って伸びるプレートＡをそれぞれ固設しておき、パネルＰ３、Ｐ４の両端壁面から、プレートＡを介してパネルＰ１、Ｐ２の小口面へとかけてタッピングビスＢを螺入し、各パネル同士を締結する構造（例えば、特許文献１参照）が提案されている。
【０００８】
この提案によれば、プレートＡを介してパネルＰ１〜Ｐ４が鉄骨柱Ｆに固定されるため、取り付けられたパネルＰ１〜Ｐ４が動いたりずれたりすることがないという利点は得られる。しかし、パネルを支える作業員とタッピングビスＢを螺入する作業員との最低二名の作業員を必要とし、さらには、鉄骨柱Ｆに対しプレートＡという余分な部品をパネル長辺小口に固設しておく必要があった。
さらに、パネルでプレートが隠れた状態でそのプレートＡ位置にビスをねじ込むという作業となり、パネルの取付の手間やコストが依然として高いという問題を残していた。
【特許文献１】特開２０００−３４７９１号公報
【発明の開示】
【発明が解決しようとする課題】
【０００９】
本発明は、上述した先行技術における問題点の解決を課題として検討した結果達成されたものである。
【００１０】
本発明の目的は、一人の作業員によっても容易にパネルを鉄骨柱の周囲に取り付けることができ、しかも取付後のパネルの定置性能および防火性能にも優れたパネル取付用治具および耐火被覆構造の形成方法を提供することにある。
【課題を解決するための手段】
【００１１】
上記の目的を達成するために本発明によれば、断面矩形パイプ状の鉄骨柱の外周を幅の異なる一対二組の軽量気泡コンクリートパネルで被覆することにより、耐火被覆構造を形成するのに使用するパネル取付用治具であって、長尺プレートの一端に平板部を備えたＴ字状本体と、前記長尺プレートの中間に固設されたパネル厚さと略同一幅を有するパネル挟持部と、前記長尺プレートの他端付近に該長尺プレートの長手方向に沿って設けられた長孔と、この長孔に沿ってスライド可能かつ固定可能に設けられたＬ型押えプレートとからなるパネル取付用治具が提供され、前記Ｔ字状本体における長尺プレートの少なくとも一部に磁石が貼着されていることが好ましい条件として挙げられる。
【００１２】
また、本発明の耐火被覆構造の形成方法は、断面矩形パイプ状の鉄骨柱の外周を幅の異なる一対二組の軽量気泡コンクリートパネルで被覆することにより、耐火被覆構造を形成するに際し、請求項１または２に記載のパネル取付用治具を一対用意し、まず一方のパネル取付用治具の平板部を前記鉄骨柱の左側周面に係合すると共に、その長尺プレートを前記鉄骨柱の前側周面の適宜高さ位置相対面に沿わせて、このパネル取付用治具のパネル挟持部にパネル上部の小口部を把持させ、このパネル取付用治具のＬ型押えプレートを前記鉄骨柱の他の右側周面に押圧することで該治具を固定することにより、前記鉄骨柱の前側周面にこの側周面の幅と略同一寸法の幅を有するパネルを仮止めし、さらに同様にして他方のパネル取付用治具を前記鉄骨柱の後側周面に配置し、この後側周面にこの側周面の幅と略同一寸法の幅を有するパネルを仮止めした後、前記鉄骨柱の残る左右両側周面に、［この側周面の幅＋（パネル厚さの２倍）］の幅を有するパネルを配置して、これら両パネルの端部側壁面から前記仮止めしたパネルの長辺小口面へ向けてタッピングビスを螺入することにより、前記鉄骨柱の全外周を四枚のパネルで被覆した後、前記パネル取付用治具を前記鉄骨柱から取り外すことを特徴とする。
【発明の効果】
【００１３】
本発明によれば、以下に説明するとおり、一人の作業員によっても容易にパネルを鉄骨柱の周囲に取り付けることができ、しかも取付後のパネルの定置性能および防火性能にも優れたパネル取付用治具および耐火被覆構造の形成方法を提供することができ、従来に比し作業の容易化とコストの低減を図ることができる。
【発明を実施するための最良の形態】
【００１４】
以下、図面を参照しつつ本発明を具体的に説明する。
【００１５】
図１は本発明で使用するパネル取付用治具の一例を示す説明図、図２は本発明の耐火被覆構造の形成過程を示す平面図、図３は図２の作業手順をさらに進めた状態を示す斜視図、図４は耐火被覆構造の完成状態を示す平面図である。
【００１６】
本発明は、従来から知られている断面矩形パイプ状の鉄骨柱の外周を幅の異なる一対二組のＡＬＣパネルで被覆することにより耐火被覆構造を形成する方法において、一対のパネル取付用治具を使用することを特徴とするものであり、これによって従来では二名〜四名の作業員を必要としていたパネルの取付作業を、たった一名で完遂可能としたことを主張するものである。
【００１７】
まず、本発明におけるパネル取付用治具１０について図１に一例を示して説明する。
本発明のパネル取付用治具１０は、長尺プレート１１の一端にこの長尺プレート１１と直角を形成する平板部１２が設けらたＴ字状本体１３と、長尺プレート１１の中間に固設されてパネル厚さと略同一幅を有するパネル挟持部１４と、長尺プレート１１の他端付近に該長尺プレートの長手方向に沿って設けられた長孔１５と、この長孔１５に沿ってスライド可能かつ固定可能に設けられたＬ型押えプレート１６とから構成されている。
【００１８】
ここで、パネル取付用治具１０の長尺プレート１１は、鉄骨柱２０を被覆し、幅が小さい方のパネルの幅よりも大きい長さとされる。
この長尺プレート１１の中間に固設されたパネル挟持部１４は、長尺プレート１１からパネル厚さと略同一寸法の水平片１４ａが延在し、この水平片１４ａの先端部分には垂下する垂下片１４が形成されている。
そして、その水平片１４ａと垂下片１４ｂとで、パネル上部の小口部を挟持するように構成されている。また、この垂下片１４ｂをパネル壁面側に屈曲させて、その弾性変形によりパネル壁面を押圧・保持させる構造とすることがより好ましい。
また、パネル取付用治具１０における長尺プレート１１の少なくとも一部には、これを鉄骨柱に沿わせて仮止めするために、該鉄骨柱側にシート状の磁石が貼着されていることが望ましい。
【００１９】
また、パネル取付用治具１０のＬ型押えプレート１６は、鉄骨柱２０の側周面に当接させる柱当接片１６ａと、長尺プレート１１にその他端が延出する方向に沿って当接させるプレート当接片１６ｂとから構成される。
そして、プレート当接片１６ｂは、長尺プレート１１の長手方向に沿って設けられた長孔１５を挿通させて螺合されたナット（蝶ナット）１７およびボルト１８により、長孔１５に沿ってスライド可能かつ固定可能に設けられており、このＬ型押えプレート１６と平板部１２とによりパネルを鉄骨柱の周面に沿わせて仮止めできるように構成されている。
【００２０】
次に、このパネル取付用治具１０を使用して耐火被覆構造を形成する方法について、図２および図３にしたがって説明する。
【００２１】
本発明の方法を実施するに際しては、まず、一対のパネル取付用治具１０Ａ、１０Ｂと、幅の異なる一対二組のパネルを準備する。ここで、幅の異なる一対二組のＡＬＣパネルとは、鉄骨柱２０の対向する側周面２０ａ、２０ｂの幅と等しい幅を有する一対のパネル（図２の３０ａ、３０ｂ）と、鉄骨柱２０他の対向する側周面２０ｃ、２０ｄを被覆する［この側周面の幅＋（パネル厚さの２倍）］の幅を有するパネル（図３に示す３０ｃ、３０ｄ）である。
【００２２】
パネルの取付作業を開始するに際しては、図２に示したように、まず一方のパネル取付用治具１０Ａの平板部１２を、鉄骨柱２０の左側周面２０ｄに係合すると共に、その長尺プレート１１を鉄骨柱２０の前側周面２０ａの適宜高さ位置相対面に沿わせて、このパネル取付用治具１０Ａのパネル挟持部１４にパネル３０ａ上部の小口部を把持させる。この場合に、パネル取付用治具１０Ａの長尺プレート１１の少なくとも一部にシート状の磁石を貼着しておくか、あるいはこの長尺プレート１１を磁性の金属材料により構成しておけば、これを鉄骨柱２０に沿わせて仮止めする作業がより一層容易となる。
【００２３】
次いで、このパネル取付用治具１０ＡのＬ型押えプレート１６を長孔１５に沿いスライドさせ、鉄骨柱２０の右側周面２０ｃに当接させた状態でナット（蝶ナット）１７およびボルト１８を締結することにより、パネル３０ａの上部の小口部を押圧した状態で取付用治具１０Ａを固定させて、鉄骨柱２０の前側周面２０ａにこの側周面２０ａと同じ幅を有するパネル３０ａを仮止めする。
【００２４】
さらに、同様にして他方のパネル取付用治具１０Ｂを、鉄骨柱２０の後側周面２０ｂに配置し、この後側周面２０ｂにこの側周面２０ｂの幅と略同一寸法の幅を有するパネル３０ｂを仮止めする。この仮止め作業は作業員一人で行うことができ、仮止めされたパネル３０ａ、３０ｂは、作業員が手を離したとしても鉄骨柱２０に確実に固定され、ずれたり落ちたりすることはない。
【００２５】
次いで、図３に示したように、鉄骨柱２０の残る左右両側周面２０ｃ、２０ｄに、［この側周面の幅＋（パネル厚さの２倍）］の幅を有するパネル３０ｃ、３０ｄを配置して、これら両パネル３０ｃ、３０ｄの端部側壁面から、前記仮止めしたパネル３０ａ、３０ｂの長辺小口面へ向けてタッピングビス４０の一本または複数本を螺入することにより、鉄骨柱２０の全外周を四枚のパネル３０ａ、３０ｂ、３０ｃ、３０ｄで被覆した後、パネル取付用治具１０Ａと１０Ｂとを鉄骨柱２０から取り外すことにより、図４に示した耐火被覆構造の形成が完成するのである。
パネル取付用治具１０Ａと１０Ｂを鉄骨柱２０から取り外すには、ナット（蝶ナット）１７およびボルト１８を緩めてＬ型押えプレート１６を長孔１５に沿い外側方向へスライドさせた後、パネル取付用治具１０Ａまたは１０Ｂを鉄骨柱２０の外側へ外すことにより容易に行うことができる。
さらに、パネル取付用治具１０Ａおよび１０Ｂを外した後に、パネル取付用治具の平板部１２の厚みによって形成されたパネル３０ｄと鉄骨柱２０の右側周面２０ｄとの隙間を、タッピングビス４０の増し締めにより無くしておくと良い。
なお、図３においては、左側のパネル３０ｄの図示については省略している。
【００２６】
ここで、パネル３０ｃ、３０ｄを配設する際には、パネル３０ａ、３０ｂが鉄骨柱２０に対し確実に仮止めされており、作業中にパネル３０ａ、３０ｂが動いたりずれたりすることがないため、取付後のパネルの定置性能が確実なものとなる。
【００２７】
また、作業員は片手でパネル３０ｃまたは３０ｄを押さえながら、残る片手でタッピングビス４０の螺入を行うことができるため、全作業を一人の作業員により完遂することができ、作業員の削減が可能で大幅なコスト低減を図ることができる。
【００２８】
なお、上記においては、便宜上からまず鉄骨柱２０の前後側周面にパネル３０ａ、３０ｂを仮止めし、次いで鉄骨柱２０の左右側周面にパネル３０ｃ、３０ｄを配設する例について説明したが、最初に鉄骨柱２０の左右側周面にパネルを仮止めし、次いで鉄骨柱２０の前後側周面にパネルを配設することも勿論可能である。
【００２９】
また、各パネル間にできた隙間や、タッピングビス４０を螺入した後に形成されるパネル壁面の穴や凹部などには、耐火性の接着剤、シール材、補修材、モルタルなどを充填することにより、平滑化を図ることができ、これにより表面状態が優れた耐火被覆構造とすることができる。
【００３０】
なお、上記においてはパイプ状の鉄骨柱のパネル被覆を主体に説明したが、断面矩形状の鉄骨柱ばかりではなく、多角形やＨ型の鉄骨柱に本発明を適用することも可能である。
【産業上の利用可能性】
【００３１】
このようにして形成される本発明の耐火被覆構造は、一人の作業員によっても容易にパネルを鉄骨柱の周囲に取り付けることができ、しかも取付後のパネルの定置性能にも優れている。
さらに、従来に比べて作業の容易化とコストの低減を大幅に向上したものであるということができ、その優れた機能を活かして、鉄骨構造の建築物における建材として有効に利用することができる。
【図面の簡単な説明】
【００３２】
【図１】図１は本発明におけるパネル取付用治具の一例を示す説明図。
【図２】図２は本発明における耐火被覆構造の形成過程を示す平面図。
【図３】図３は図２の作業手順をさらに進めた状態を示す斜視図。
【図４】図４は耐火被覆構造の完成状態を示す平面図
【図５】図５は（ａ）、（ｂ）は耐火被覆構造の従来例を示す平面図。
【図６】図６は耐火被覆構造の他の従来例を示す平面図。
【符号の説明】
【００３３】
１０    パネル取付用治具
１０Ａ  一方のパネル取付用治具
１０Ｂ  他方のパネル取付用治具
１１    長尺プレート
１２    平板部
１３    Ｔ字状本体
１４    パネル挟持部
１４ａ 水平片
１４ｂ 垂下片
１５    長孔
１６    Ｌ型押えプレート
１６ａ 柱当接片
１６ｂ プレート当接片
１７    ナット（蝶ナット）
１８    ボルト
２０    鉄骨柱
２０ａ  鉄骨柱の側周面
２０ｂ  鉄骨柱の側周面
２０ｃ  鉄骨柱の側周面
２０ｄ  鉄骨柱の側周面
３０ａ  パネル
３０ｂ  パネル
３０ｃ  パネル
３０ｄ  パネル
４０    タッピングビス
【図１】
2009215798.tif 000003
【図２】
2009215798.tif 000004
【図３】
2009215798.tif 000005
【図４】
2009215798.tif 000006
【図５】
2009215798.tif 000007
【図６】
2009215798.tif 000008